(57)【要約】【課題】  参加者の描いた手書き画像を、発表者および参加者で共有すること。【解決手段】  発表者用装置は、発表用データを参加者用装置に送信する発表用データ送信部（Ｓ０３）と、表示ページを選択する選択部（Ｓ０４）と、表示ページのページ番号を参加者用装置に送信する表示ページ情報送信部（Ｓ０６）と、参加者用装置かから指定ページのページ番号と手書き画像とを受信する手書き画像受信部（Ｓ０８）と、ユーザによる操作に応じて、手書き画像を指定ページの画像と合成した合成画像を生成する合成画像生成部（Ｓ１８）と、合成画像を参加者用装置に送信する合成画像送信部（Ｓ２１）と、を備え、表示ページの画像を第１表示領域に表示し（Ｓ０５）、手書き画像を第２表示領域に表示し（Ｓ１５）、合成画像が生成されることに応じて、合成画像を第１表示領域に表示する（Ｓ１９）。【選択図】        図５
2011065348.tif 000002
【特許請求の範囲】
【請求項１】
発表者用装置と前記発表者装置以外の１以上の参加者用装置とからなる複数の表示装置を含む会議システムであって、
前記複数の表示装置それぞれは、第１表示領域と第２表示領域とを含む表示手段と、
前記表示手段の表示を制御する表示制御手段と、を備えており、
前記発表者用装置は、
複数ページを含む発表用データを前記１以上の参加者用装置に送信する発表用データ送信手段と、
前記発表用データに含まれる複数ページのうちから表示用の表示ページを選択する選択手段と、
前記選択された表示ページを識別するためのページ識別情報を、前記１以上の参加者用装置に送信する表示ページ情報送信手段と、
前記１以上の参加者用装置のいずれかから前記発表用データに含まれる複数ページのうちいずれか１つの指定ページのページ識別情報と手書き画像とを受信する手書き画像受信手段と、
ユーザによる所定の操作を受け付けることに応じて、前記受信された手書き画像を前記指定ページのページデータの画像と合成した合成画像を生成する合成画像生成手段と、
前記生成された合成画像を前記１以上の参加者用装置に送信する合成画像送信手段と、を備え、
前記表示制御手段は、前記選択された表示ページのページデータの画像を、前記表示手段の前記第１表示領域に表示する第１領域表示制御手段と、
前記指定ページのページ識別情報が前記表示ページのページ識別情報と一致する場合、前記受信された手書き画像を、前記表示手段の前記第２表示領域に表示する第２領域表示制御手段と、を含み、
前記第１領域表示制御手段は、前記合成画像が生成されることに応じて、前記表示ページのページデータの画像に代えて前記合成画像を前記第１表示領域に表示する、会議システム。
【請求項２】
前記第２領域表示制御手段は、前記手書き画像受信手段が、前記１以上の参加者用装置のうち２以上それぞれから同一のページ識別情報と手書き画像とを受信する場合、前記２以上の手書き画像を選択可能に前記第２表示領域に表示し、
前記合成画像生成手段は、前記第２表示領域に選択可能に表示された前記２以上の手書き画像のいずれかの選択を受け付けることに応じて、該選択された手書き画像を、前記指定ページのページデータの画像と合成する、請求項１に記載の会議システム。
【請求項３】
前記１以上の参加者用装置それぞれは、
手書き画像を検出する手書き画像検出手段と、
前記検出された手書き画像を前記発表用装置に送信する手書き画像送信手段と、を備え、
前記表示制御手段は、前記発表用装置から前記表示ページのページ識別情報を受信することに応じて、前記表示ページのページデータの画像を前記第１表示領域に表示する第３表示領域制御手段と、
前記受け付けられた手書き画像を前記第２表示領域に表示する第４表示領域制御手段と、を含み、
前記手書き画像送信手段は、ユーザによる所定の操作が受け付けられると、前記手書き画像を、前記第１表示領域に表示されているページデータのページ識別情報とともに前記発表者用装置に送信し、
前記第４表示領域制御手段は、前記発表用装置から前記合成画像が受信されることに応じて、前記表示ページのページデータの画像に代えて前記合成画像を前記第１表示領域に表示する、請求項１または２に記載の会議システム。
【請求項４】
前記会議用装置は、前記選択された表示ページのページデータの画像を外部に接続された外部表示装置に表示させる外部表示手段を、さらに備えた請求項１〜３のいずれかに記載の会議システム。
【請求項５】
第１表示領域と第２表示領域とを含む表示手段と、
前記表示手段の表示を制御する表示制御手段と、
複数ページを含む発表用データを１以上の参加者用装置に送信する発表用データ送信手段と、
前記発表用データに含まれる複数ページのうちから表示用の表示ページを選択する選択手段と、
前記選択された表示ページを識別するためのページ識別情報を、前記１以上の参加者用装置に送信する表示ページ情報送信手段と、
前記１以上の参加者用装置のいずれかから前記発表用データに含まれる複数ページのうちいずれか１つの指定ページのページ識別情報と手書き画像とを受信する手書き画像受信手段と、
ユーザによる所定の操作を受け付けることに応じて、前記受信された手書き画像を前記指定ページのページデータの画像と合成した合成画像を生成する合成画像生成手段と、
前記生成された合成画像を前記１以上の参加者用装置に送信する合成画像送信手段と、を備え、
前記表示制御手段は、前記選択された表示ページのページデータの画像を、前記表示手段の前記第１表示領域に表示する第１領域表示制御手段と、
前記指定ページのページ識別情報が前記表示ページと一致する場合、前記受信された手書き画像を、前記表示手段の前記第２表示領域に表示する第２領域表示制御手段と、を含み、
前記第１領域表示制御手段は、前記合成画像が生成されることに応じて、前記表示ページのページデータの画像に代えて前記合成画像を前記第１表示領域に表示する、表示装置。
【請求項６】
前記第２領域表示制御手段は、前記手書き画像受信手段が、前記１以上の参加者用装置のうち２以上それぞれから同一のページ識別情報と手書き画像とを受信する場合、前記２以上の手書き画像を選択可能に前記第２表示領域に表示し、
前記合成画像生成手段は、前記第２表示領域に選択可能に表示された前記２以上の手書き画像のいずれかの選択を受け付けることに応じて、該選択された手書き画像を、前記指定ページのページデータの画像と合成する、請求項５に記載の表示装置。
【請求項７】
第１表示領域と第２表示領域とを含む表示手段を備えた表示装置で実行される表示制御方法であって、
複数ページを含む発表用データを１以上の参加者用装置に送信するステップと、
前記発表用データに含まれる複数ページのうちから表示用の表示ページを選択するステップと、
前記選択された表示ページを識別するためのページ識別情報を、前記１以上の参加者用装置に送信するステップと、
前記選択された表示ページのページデータの画像を、前記表示手段の前記第１表示領域に表示するステップと、
前記１以上の参加者用装置のいずれかから前記発表用データに含まれる複数ページのうちいずれか１つの指定ページのページ識別情報と手書き画像とを受信するステップと、
前記指定ページのページ識別情報が前記表示ページのページ識別情報と一致する場合、前記受信された手書き画像を、前記表示手段の前記第２表示領域に表示するステップと、
ユーザによる所定の操作を受け付けることに応じて、前記受信された手書き画像を前記指定ページのページデータの画像と合成した合成画像を生成するステップと、
前記合成画像が生成されることに応じて、前記表示ページのページデータの画像に代えて前記合成画像を前記第１表示領域に表示するステップと、
前記生成された合成画像を前記１以上の参加者用装置に送信するステップと、を含む表示制御方法。
【請求項８】
前記手書き画像を表示するステップは、前記手書き画像を受信するステップにおいて、前記１以上の参加者用装置のうち２以上それぞれから同一のページ識別情報と手書き画像とを受信する場合、前記２以上の手書き画像を選択可能に前記第２表示領域に表示するステップを含み、
前記合成画像を生成するステップは、前記第２表示領域に選択可能に表示された前記２以上の手書き画像のいずれかの選択を受け付けることに応じて、該選択された手書き画像を、前記指定ページのページデータの画像と合成するステップを含む、請求項７に記載の表示制御方法。
【請求項９】
第１表示領域と第２表示領域とを含む表示手段を備えた表示装置を制御するコンピュータで実行される表示制御プログラムであって、
複数ページを含む発表用データを１以上の参加者用装置に送信するステップと、
前記発表用データに含まれる複数ページのうちから表示用の表示ページを選択するステップと、
前記選択された表示ページを識別するためのページ識別情報を、前記１以上の参加者用装置に送信するステップと、
前記選択された表示ページのページデータの画像を、前記表示手段の前記第１表示領域に表示するステップと、
前記１以上の参加者用装置のいずれかから前記発表用データに含まれる複数ページのうちいずれか１つの指定ページのページ識別情報と手書き画像とを受信するステップと、
前記指定ページのページ識別情報が前記表示ページのページ識別情報と一致する場合、前記受信された手書き画像を、前記表示手段の前記第２表示領域に表示するステップと、
ユーザによる所定の操作を受け付けることに応じて、前記受信された手書き画像を前記指定ページのページデータの画像と合成した合成画像を生成するステップと、
前記合成画像が生成されることに応じて、前記表示ページのページデータの画像に代えて前記合成画像を前記第１表示領域に表示するステップと、
前記生成された合成画像を前記１以上の参加者用装置に送信するステップと、を前記コンピュータに実行させる表示制御プログラム。
【請求項１０】
前記手書き画像を表示するステップは、前記手書き画像を受信するステップにおいて、前記１以上の参加者用装置のうち２以上それぞれから同一のページ識別情報と手書き画像とを受信する場合、前記２以上の手書き画像を選択可能に前記第２表示領域に表示するステップを含み、
前記合成画像を生成するステップは、前記第２表示領域に選択可能に表示された前記２以上の手書き画像のいずれかの選択を受け付けることに応じて、該選択された手書き画像を、前記指定ページのページデータの画像と合成するステップを含む、請求項９に記載の表示制御プログラム。
【発明の詳細な説明】
【技術分野】
【０００１】
この発明は、会議システム、表示装置、表示制御方法および表示制御プログラムに関し、特に、会議等で発表する資料の画像を表示するための会議システム、表示装置、表示制御方法および表示制御プログラムに関する。
【背景技術】
【０００２】
会議等において、説明用の資料の画像をスクリーンに映し出し、説明することがなされている。近年は、説明用の資料をコンピュータに記憶させておき、そのコンピュータに表示装置としてのプロジェクタ等を接続し、コンピュータが出力する資料の画像をプロジェクタに表示させることが多い。
【０００３】
さらに、会議の参加者の手元にコンピュータ等を配置し、スクリーンに映し出すのと同じ画像を表示させることにより、参加者は近くで資料を閲覧できる。この場合、発表者が資料に加えて追加したい情報をホワイトボードに手書きするなどすることにより、より詳細な説明がなされる場合がある。
【０００４】
特開２００１−２５６１６５号公報には、発表者の手書きした画像を、サーバから参加者のコンピュータに送信し、参加者が手書きした画像を参加者のコンピュータにローカルに記憶する管理方法が記載されている。
【０００５】
しかしながら、参加者の手書した画像は、発表者は見ることができないため、例えば、参加者が質問の内容を手書きした画像で発表者に伝えることができないといった問題がある。
【特許文献１】特開２００１−２５６１６５号公報
【発明の概要】
【発明が解決しようとする課題】
【０００６】
この発明は上述した問題点を解決するためになされたもので、この発明の目的の１つは、参加者の描いた手書き画像を、発表者および参加者で共有することが可能な会議システム、表示装置、表示制御方法および表示制御プログラムを提供することである。
【課題を解決するための手段】
【０００７】
この発明は上述した問題点を解決するためになされたもので、この発明のある局面によれば、会議システムは、発表者用装置と発表者装置以外の１以上の参加者用装置とからなる複数の表示装置を含む会議システムであって、複数の表示装置それぞれは、第１表示領域と第２表示領域とを含む表示手段と、表示手段の表示を制御する表示制御手段と、を備えており、発表者用装置は、複数ページを含む発表用データを１以上の参加者用装置に送信する発表用データ送信手段と、発表用データに含まれる複数ページのうちから表示用の表示ページを選択する選択手段と、選択された表示ページを識別するためのページ識別情報を、１以上の参加者用装置に送信する表示ページ情報送信手段と、１以上の参加者用装置のいずれかから発表用データに含まれる複数ページのうちいずれか１つの指定ページのページ識別情報と手書き画像とを受信する手書き画像受信手段と、ユーザによる所定の操作を受け付けることに応じて、受信された手書き画像を指定ページのページデータの画像と合成した合成画像を生成する合成画像生成手段と、生成された合成画像を１以上の参加者用装置に送信する合成画像送信手段と、を備え、表示制御手段は、選択された表示ページのページデータの画像を、表示手段の第１表示領域に表示する第１領域表示制御手段と、指定ページのページ識別情報が表示ページのページ識別情報と一致する場合、受信された手書き画像を、表示手段の第２表示領域に表示する第２領域表示制御手段と、を含み、第１領域表示制御手段は、合成画像が生成されることに応じて、表示ページのページデータの画像に代えて合成画像を第１表示領域に表示する。
【０００８】
この局面によれば、発表者用装置において、表示ページのページデータの画像が第１表示領域に表示されるとともに、指定ページのページ識別情報が表示ページのページ識別情報と一致する場合、手書き画像が第２表示領域に表示される。さらに、ユーザによる所定の操作を受け付けることに応じて、手書き画像を指定ページのページデータの画像と合成した合成画像が生成され、表示ページのページデータに代えて合成画像が第１表示領域に表示されるとともに、合成画像が参加者用装置に送信される。このため、発表者用装置において、参加者により入力された手書き画像を発表者が確認することができ、発表者により選択された手書き画像を、発表者および参加者で確認することができる。その結果、参加者の描いた手書き画像を、発表者および参加者で共有することが可能な会議システムを提供することができる。
【０００９】
好ましくは、第２領域表示制御手段は、手書き画像受信手段が、１以上の参加者用装置のうち２以上それぞれから同一のページ識別情報と手書き画像とを受信する場合、２以上の手書き画像を選択可能に第２表示領域に表示し、合成画像生成手段は、第２表示領域に選択可能に表示された２以上の手書き画像のいずれかの選択を受け付けることに応じて、該選択された手書き画像を、指定ページのページデータの画像と合成する。
【００１０】
この局面によれば、複数の参加者それぞれが入力した手書き画像のうちから共有するための手書き画像を発表者が選択することができる。
【００１１】
好ましくは、１以上の参加者用装置それぞれは、手書き画像を検出する手書き画像検出手段と、検出された手書き画像を発表者用装置に送信する手書き画像送信手段と、を備え、表示制御手段は、発表者用装置から表示ページのページ識別情報を受信することに応じて、表示ページのページデータの画像を第１表示領域に表示する第３表示領域制御手段と、受け付けられた手書き画像を第２表示領域に表示する第４表示領域制御手段と、を含み、手書き画像送信手段は、ユーザによる所定の操作が受け付けられると、手書き画像を、第１表示領域に表示されているページデータのページ識別情報とともに発表者用装置に送信し、第４表示領域制御手段は、発表者用装置から合成画像が受信されることに応じて、表示ページのページデータの画像に代えて合成画像を第１表示領域に表示する。
【００１２】
この局面によれば、参加者用装置においては、表示ページのページデータが第１表示領域に表示され、手書き画像が第２表示領域に表示され、発表者用装置から合成画像が受信されることに応じて、合成画像が第１表示領域に表示される。このため、参加者が、発表ページの画像と、合成画像とを閲覧することができる。
【００１３】
好ましくは、会議用装置は、選択された表示ページのページデータの画像を外部に接続された外部表示装置に表示させる外部表示手段を、さらに備える。
【００１４】
この発明の他の局面によれば、表示装置は、第１表示領域と第２表示領域とを含む表示手段と、表示手段の表示を制御する表示制御手段と、複数ページを含む発表用データを１以上の参加者用装置に送信する発表用データ送信手段と、発表用データに含まれる複数ページのうちから表示用の表示ページを選択する選択手段と、選択された表示ページを識別するためのページ識別情報を、１以上の参加者用装置に送信する表示ページ情報送信手段と、１以上の参加者用装置のいずれかから発表用データに含まれる複数ページのうちいずれか１つの指定ページのページ識別情報と手書き画像とを受信する手書き画像受信手段と、ユーザによる所定の操作を受け付けることに応じて、受信された手書き画像を指定ページのページデータの画像と合成した合成画像を生成する合成画像生成手段と、生成された合成画像を１以上の参加者用装置に送信する合成画像送信手段と、を備え、表示制御手段は、選択された表示ページのページデータの画像を、表示手段の第１表示領域に表示する第１領域表示制御手段と、指定ページのページ識別情報が表示ページと一致する場合、受信された手書き画像を、表示手段の第２表示領域に表示する第２領域表示制御手段と、を含み、第１領域表示制御手段は、合成画像が生成されることに応じて、表示ページのページデータの画像に代えて合成画像を第１表示領域に表示する。
【００１５】
この局面に従えば、参加者の描いた手書き画像を、発表者および参加者で共有することが可能な表示装置を提供することができる。
【００１６】
好ましくは、第２領域表示制御手段は、手書き画像受信手段が、１以上の参加者用装置のうち２以上それぞれから同一のページ識別情報と手書き画像とを受信する場合、２以上の手書き画像を選択可能に第２表示領域に表示し、合成画像生成手段は、第２表示領域に選択可能に表示された２以上の手書き画像のいずれかの選択を受け付けることに応じて、該選択された手書き画像を、指定ページのページデータの画像と合成する。
【００１７】
この発明の他の局面によれば、表示制御方法は、第１表示領域と第２表示領域とを含む表示手段を備えた表示装置で実行される表示制御方法であって、複数ページを含む発表用データを１以上の参加者用装置に送信するステップと、発表用データに含まれる複数ページのうちから表示用の表示ページを選択するステップと、選択された表示ページを識別するためのページ識別情報を、１以上の参加者用装置に送信するステップと、選択された表示ページのページデータの画像を、表示手段の第１表示領域に表示するステップと、１以上の参加者用装置のいずれかから発表用データに含まれる複数ページのうちいずれか１つの指定ページのページ識別情報と手書き画像とを受信するステップと、指定ページのページ識別情報が表示ページのページ識別情報と一致する場合、受信された手書き画像を、表示手段の第２表示領域に表示するステップと、ユーザによる所定の操作を受け付けることに応じて、受信された手書き画像を指定ページのページデータの画像と合成した合成画像を生成するステップと、合成画像が生成されることに応じて、表示ページのページデータの画像に代えて合成画像を第１表示領域に表示するステップと、生成された合成画像を１以上の参加者用装置に送信するステップと、を含む。
【００１８】
この局面に従えば、参加者の描いた手書き画像を、発表者および参加者で共有することが可能な表示制御方法を提供することができる。
【００１９】
好ましくは、手書き画像を表示するステップは、手書き画像を受信するステップにおいて、１以上の参加者用装置のうち２以上それぞれから同一のページ識別情報と手書き画像とを受信する場合、２以上の手書き画像を選択可能に第２表示領域に表示するステップを含み、合成画像を生成するステップは、第２表示領域に選択可能に表示された２以上の手書き画像のいずれかの選択を受け付けることに応じて、該選択された手書き画像を、指定ページのページデータの画像と合成するステップを含む。
【００２０】
この発明のさらに他の局面によれば、表示制御プログラムは、第１表示領域と第２表示領域とを含む表示手段を備えた表示装置を制御するコンピュータで実行される表示制御プログラムであって、複数ページを含む発表用データを１以上の参加者用装置に送信するステップと、発表用データに含まれる複数ページのうちから表示用の表示ページを選択するステップと、選択された表示ページを識別するためのページ識別情報を、１以上の参加者用装置に送信するステップと、選択された表示ページのページデータの画像を、表示手段の第１表示領域に表示するステップと、１以上の参加者用装置のいずれかから発表用データに含まれる複数ページのうちいずれか１つの指定ページのページ識別情報と手書き画像とを受信するステップと、指定ページのページ識別情報が表示ページのページ識別情報と一致する場合、受信された手書き画像を、表示手段の第２表示領域に表示するステップと、ユーザによる所定の操作を受け付けることに応じて、受信された手書き画像を指定ページのページデータの画像と合成した合成画像を生成するステップと、合成画像が生成されることに応じて、表示ページのページデータの画像に代えて合成画像を第１表示領域に表示するステップと、生成された合成画像を１以上の参加者用装置に送信するステップと、をコンピュータに実行させる。
【００２１】
この局面に従えば、参加者の描いた手書き画像を、発表者および参加者で共有することが可能な表示制御プログラムを提供することができる。
【００２２】
好ましくは、手書き画像を表示するステップは、手書き画像を受信するステップにおいて、１以上の参加者用装置のうち２以上それぞれから同一のページ識別情報と手書き画像とを受信する場合、２以上の手書き画像を選択可能に第２表示領域に表示するステップを含み、合成画像を生成するステップは、第２表示領域に選択可能に表示された２以上の手書き画像のいずれかの選択を受け付けることに応じて、該選択された手書き画像を、指定ページのページデータの画像と合成するステップを含む。
【発明を実施するための形態】
【００２３】
以下、本発明の実施の形態について図面を参照して説明する。以下の説明では同一の部材には同一の符号を付してある。それらの名称および機能も同じである。したがってそれらについての詳細な説明は繰返さない。
【００２４】
図１は、本発明の実施の形態の１つにおける会議システムの全体概要を示す図である。図１を参照して、会議システム１は、それぞれがネットワーク１０３に接続された表示装置１００，１００Ａ〜１００Ｃと、プロジェクタ１１１と、ホワイトボード１１３とを含む。
【００２５】
表示装置１００，１００Ａ，１００Ｂ，１００Ｃは、表面に液晶表示装置（ＬＣＤ）と、タッチパネルとを備えている。ユーザは、ＬＣＤに表示された画像を閲覧するとともに、ペン１０１、１０１Ａ，１０１Ｂ，１０１Ｃを用いてタッチパネルに手書きの文字または図形を入力することができる。
【００２６】
ここでは、発表者が表示装置１００を操作して、プロジェクタ１１１に資料の画像をホワイトボード１１３に投影させ、参加者が表示装置１００Ａ〜１００Ｃを操作して、資料を閲覧する場合を例に説明する。また、表示装置１００，１００Ａ〜１００Ｃのうち発表者が操作する表示装置１００を発表者用装置１００といい、参加者が操作する表示装置１００Ａ〜１００Ｃを参加者用装置１００Ａ〜１００Ｃといいう。
【００２７】
ネットワーク１０３は、ローカルエリアネットワーク（ＬＡＮ）であり、接続形態は有線または無線を問わない。またネットワーク１０３は、ＬＡＮに限らず、ワイドエリアネットワーク（ＷＡＮ）、公衆交換電話網（ＰＳＴＮ）、インターネット等であってもよい。
【００２８】
なお、ここでは１つの会議室で発表する場合を例に説明するが、物理的に離れた複数の空間に参加者が存在してもよい。この場合には、別の会議室の参加者は、ホワイトボード１１３に投影された画像を見ることはできないが、自らが操作する表示装置に表示される画像で、ホワイトボード１１３に投影された画像と同じ画像を見ることができる。また、発表者の音声は、ネットワーク１０３または電話回線などを介して伝送し、スピーカから出力するようにすればよい。
【００２９】
プロジェクタ１１１は、表示装置１００とシリアル回線で接続されており、表示装置１００から受信される画像をホワイトボード１１３に投影することにより、画像をホワイトボード１１３に表示する。なお、シリアル回線に代えてネットワーク１０３を介して接続するようにしてもよい。プロジェクタ１１１は、液晶表示装置（ＬＣＤ）、レンズおよび光源を備え、外部から入力されるデータを表示する。光源から発せられる光は、液晶表示装置を透過し、レンズを介して外部に照射される。投影部から照射される光が、ホワイトボード１１３に照射されると、液晶表示装置に表示された画像を拡大した画像がホワイトボード１１３に映し出される。なお、反射率の高い面であれば、壁などを利用することができ、その場合にはホワイトボード１１３を設置する必要はない。なお、ここでは、プロジェクタ１１１を例に説明するが、ＬＣＤまたは有機ＥＬＤ等のディスプレイであってもよい。
【００３０】
表示装置１００，１００Ａ，１００Ｂ，１００Ｃのハードウエア構成は同じなので、ここでは表示装置１００を例に説明する。また、参加者用装置１００Ａ〜１００Ｃの機能は、同じなので、ここでは特に言及しない限り参加者用装置１００Ａを例に説明する。
【００３１】
図２は、表示装置のハードウエア構成の一例を示すブロック図である。図２を参照して、表示装置１００は、表示装置１００の全体を制御する中央演算装置（ＣＰＵ）１１と、ＲＯＭ（Ｒｅａｄ  Ｏｎｌｙ  Ｍｅｍｏｒｙ）１３と、ＲＡＭ（Ｒａｎｄｏｍ  Ａｃｃｅｓｓ  Ｍｅｍｏｒｙ）と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１７と、画像を表示する液晶表示装置（ＬＣＤ）１９と、表示装置１００をネットワーク１０３に接続するための通信インターフェース（Ｉ／Ｆ）２１と、ユーザの操作を受け付ける操作部２３と、外部Ｉ／Ｆ２５と、を含む。
【００３２】
ＲＯＭ１３は、ＣＰＵ１１が実行するプログラム、またはそのプログラムを実行するために必要なデータを記憶する。ＲＡＭ１１４は、ＣＰＵ１１１がプログラムを実行する際の作業領域として用いられる。ＥＥＰＲＯＭ１７は、プログラムまたはデータ等を不揮発的に記憶する。
【００３３】
ＬＣＤ１９は、表示装置１００の上面に設けられ、ＣＰＵ１１に制御されて、画像を表示する。ＬＣＤ１９は、第１表示領域と第２表示領域とを含む。ここでは、ＬＣＤ１９は１画面を有し、ＣＰＵ１１が第１表示領域の画像と第２表示領域の画像とを含む１画面の画像をＬＣＤ１９に表示させることにより、ＬＣＤ１９の第１表示領域と第２表示領域とにそれぞれ画像が表示される。第１表示領域と第２表示領域とは、左右に並んで配列されるが、上下に並んで配列されるようにしてもよい。
【００３４】
なお、第１表示領域の画像を表示するためのＬＣＤと、第２表示領域の画像を表示するためのＬＣＤとを備えるようにしてもよい。また、画像を表示する装置であれば、ＬＣＤ１９に代えて、有機ＥＬＤ（Ｅｌｅｃｔｒｏｌｕｍｉｎｅｓｃｅｎｃｅ  Ｄｉｓｐｌａｙ）、電子ペーパ等を用いるようにしてもよいし、それらを組み合わせるようにしてもよい。
【００３５】
操作部２３は、複数のキーと、ＬＣＤ１９の上面に設けられたタッチパネルを含む。ＬＣＤ１９とタッチパネルとを組み合わせることにより、種々の操作を受け付けることが可能である。複数のキーは、表示装置１００を発表者用装置および参加者用装置のいずれかに設定するための設定キーを含む。発表者用装置１００は、設定キーが発表者用装置を設定する側に切り換えられ、参加者用装置１００Ａ，１００Ｂ，１００Ｃは、設定キーが参加者用装置を設定する側に切り換えられる。通信Ｉ／Ｆ２１は、表示装置１００をネットワーク１０３に接続するためのインターフェースである。ＣＰＵ１１は、通信Ｉ／Ｆ２１を介して別の表示装置１００Ａ，１００Ｂ，１００Ｃと通信し、データを送受信する。また、通信Ｉ／Ｆ２１は、ネットワーク１０３を介してインターネットに接続されたコンピュータと通信が可能である。
【００３６】
外部Ｉ／Ｆ２５は、外部の装置と通信するためのインターフェースである。ここでは、外部Ｉ／Ｆ２５は、接続された外部の装置とシリアル通信する。外部Ｉ／Ｆ２５には、プロジェクタ１１１が接続され、ＣＰＵ１１は、外部Ｉ／Ｆ２５を介してプロジェクタ１１１と通信する。また、外部Ｉ／Ｆ２５にＣＤ−ＲＯＭドライバが接続される場合、ＣＰＵ１１は、外部Ｉ／Ｆ２５を介してＣＤ（Ｃｏｍｐａｃｔ  Ｄｉｓｋ）−ＲＯＭ２５Ａにアクセス可能である。ＣＤ−ＲＯＭ２５Ａには、発表用データまたはプログラムが記憶される場合があり、ＣＰＵ１１１は、ＣＤ−ＲＯＭ２５Ａに記録された発表用データを読出し、表示することが可能であり、また、ＣＤ−ＲＯＭ２５Ａに記録されたプログラムをＲＡＭ１５にロードして実行することが可能である。
【００３７】
さらに、外部Ｉ／Ｄ２５には、プロジェクタ１１１が接続され、ＣＰＵ１１は、外部Ｉ／Ｆ２５を介してプロジェクタ１１１を制御し、プロジェクタ１１１に画像を送信し、画像を投影させる。
【００３８】
なお、ＣＰＵ１１が実行するプログラムは、ＣＤ−ＲＯＭ２５Ａに記録されたプログラムに限られず、ＥＥＰＲＯＭ１７に記憶されたプログラムをＲＡＭ１５にロードして実行するようにしても良い。この場合、ネットワーク１０３に接続された他のコンピュータが、表示装置１００のＥＥＰＲＯＭ１７に記憶されたプログラムを書き換える、または、新たなプログラムを追加して書き込むようにしてもよい。さらに、表示装置１００が、ネットワーク１０３に接続された他のコンピュータからプログラムをダウンロードして、そのプログラムをＥＥＰＲＯＭ１７に記憶するようにしてもよい。ここでいうプログラムは、ＣＰＵ１１が直接実行可能なプログラムだけでなく、ソースプログラム、圧縮処理されたプログラム、暗号化されたプログラム等を含む。
【００３９】
図３は、発表者用装置である表示装置が備えるＣＰＵが有する機能の一例を示す機能ブロック図である。図３に示すＣＰＵ１１が有する機能は、ＣＰＵ１１がＲＯＭ１３またはＥＥＰＲＯＭ１７に記憶された表示制御プログラムを実行することにより、ＣＰＵ１１に形成される。図３を参照して、発表者用装置１００が備えるＣＰＵ１１は、ＬＣＤ１９の表示を制御する表示制御部５１と、ユーザによる操作を受け付ける操作受付部５３と、発表用データを参加者用装置１００Ａ，１００Ｂ，１００Ｃに送信する発表用データ送信部５５と、表示する表示ページを選択する選択部５７と、表示ページを識別するためのページ識別情報を参加者用装置１００Ａ，１００Ｂ，１００Ｃに送信する表示ページ情報送信部５９と、合成画像生成部６１と、合成画像を参加者用装置１００Ａ，１００Ｂ，１００Ｃに送信する合成画像送信部６３と、プロジェクタ１１１の表示を制御する外部表示制御部６５と、参加者用装置１００Ａ，１００Ｂ，１００Ｃのいずれかから手書き画像を受信する手書き画像受信部６７と、を含む。
【００４０】
表示制御部５１は、第１領域表示制御部７１と、第２領域表示制御部７３と、を含む。第１領域表示制御部７１は、ＬＣＤ１９が有する第１表示領域に画像を表示し、第２領域表示制御部７３は、ＬＣＤ１９が有する第２表示領域に画像を表示する。
【００４１】
操作受付部５３は、ユーザが操作部２３に操作を入力すると、操作部２３から受け付けられた操作を受け付ける。操作受付部５３は、ユーザが発表用データを指定する操作を操作部２３に入力すると、操作により指定された発表用データのファイル名を発表用データ送信部５５および選択部５７に出力する。例えば、ＬＣＤ１９の第２表示領域に、ＥＥＰＲＯＭ１７またはＣＤ−ＲＯＭ２５Ａに記憶されているデータのファイル名の一覧を表示し、ユーザがタッチパネルで表示用データのファイル名を指示すれば、指示されたファイル名を発表用データのファイル名を受け付ける。発表用データは、ここでは、画像データとしており、例えば、ＴＩＦＦ（Ｔａｇｇｅｄ  Ｉｍａｇｅ  Ｆｉｌｅ  Ｆｏｒｍａｔ）、ＧＩＦ（Ｇｒａｐｈｉｃ  Ｉｎｔｅｒｃｈａｎｇｅ  Ｆｏｒｍａｔ）、ＪＰＥＧ（Ｊｏｉｎｔ  Ｐｈｏｔｏｇｒａｐｈｉｃ  Ｅｘｐｅｒｔｓ  Ｇｒｏｕｐ）、ＰＤＦ（Ｐｏｒｔａｂｌｅ  Ｄｏｃｕｍｅｎｔ  Ｆｏｒｍａｔ）等のファイル形式である。また、ＣＰＵ１１が、文書作成プログラム、表計算プログラム等のアプリケーションプログラムを実行する場合には、発表用データは、ＣＰＵ１１により実行されるアプリケーションプログラムに対応するファイル形式であってもよい。
【００４２】
発表用データ送信部５５は、操作受付部５３から発表用データのファイル名が入力されると、発表用データを読出し、発表用データを通信Ｉ／Ｆ２１を介して、参加者用装置１００Ａ，１００Ｂ，１００Ｃのすべてに送信する。
【００４３】
操作受付部５３は、さらに、発表用ページが複数ページを含む場合、ユーザが複数ページのうちから表示対象となる表示ページを指定する操作を受け付ける。具体的には、操作受付部５３は、操作部２３が有するページ送りボタンがユーザにより指示されると、ページ送り信号を選択部５７に出力し、操作部２３が有するページ戻しボタンがユーザにより指示されると、ページ戻し信号を選択部５７に出力する。
【００４４】
選択部５７は、発表用ページに含まれる複数ページのうちから表示ページを選択する。具体的には、選択部５７は、操作受付部５３から発表用ページのファイル名が入力された時点で、第１ページを選択する。そして、選択部５７は、操作受付部５３からページ送り信号が入力されると、表示ページの次のページを新たな表示ページとして選択し、操作受付部５３からページ戻り信号が入力されると、表示ページの前のページを新たな表示ページとして選択する。選択部５７は、操作受付部５３から入力されるファイル名の発表用データを読出し、表示ページが選択されるごとに、選択された表示ページのページデータ（画像）を、第１領域表示制御部７１および合成画像生成部６１に出力するとともに、表示ページを識別するためのページ識別情報としてページ番号を表示ページ情報送信部５９に出力する。
【００４５】
第１領域表示制御部７１は、選択部５７から入力されるページデータの画像を、ＬＣＤ１９の第１表示領域に表示する。さらに、第１領域表示制御部７１は、外部表示制御部６５に選択部５７から入力されるページデータの画像を出力する。第１領域表示制御部７１は、選択部５７から新たなページデータが入力されるごとに、新たなページデータの画像をＬＣＤ１９の第１表示領域に表示する。
【００４６】
外部表示制御部６５は、第１領域表示制御部７１からページデータの画像が入力されると、プロジェクタ１１１にその画像を投影させ、ホワイトボード１１３に画像を表示させる。このため、ＬＣＤ１９の第１表示領域と、ホワイトボード１１３には同じ画像が表示される。
【００４７】
表示ページ情報送信部５９は、選択部５７からページ番号が入力されると、ページ番号を含む表示ページ情報を通信Ｉ／Ｆ２１を介して、参加者用装置１００Ａ，１００Ｂ，１００Ｃのすべてに送信する。
【００４８】
参加者用装置１００Ａ，１００Ｂ，１００Ｃそれぞれの機能の詳細は後述するが、発表者用装置１００から発表用データと、発表ページ情報とを受信すると、発表用データの発表ページ情報に含まれるページ番号で特定される表示ページのページデータを表示し、手書き画像を受け付け、表示ページのページ番号と手書き画像との組を発表者用装置１００に送信する。
【００４９】
手書き画像受信部６７は、通信Ｉ／Ｆ２１が参加者用装置１００Ａ，１００Ｂ，１００Ｃのいずれかから手書き画像と指ページ番号との組を受信すると、通信Ｉ／Ｆ２１からそれらを受け付ける。指定ページ番号は、発表用データに含まれる複数ページのいずれかのページのページ番号である。指定ページ番号の詳細は後述する。手書き画像受信部６７は、参加者用装置１００Ａ，１００Ｂ，１００Ｃのうち手書き画像とページ番号との組を送信してきたものを識別するための装置ＩＤと手書き画像と指定ページ番号との組とを、第２領域表示制御部７３に出力する。装置ＩＤは、ここではＩＰアドレスとしている。
【００５０】
第２領域表示制御部７３は、手書き画像受信部６７から入力される手書き画像を、ＬＣＤ１９の第２表示領域に表示する。第２領域表示制御部７３は、装置識別情報と手書き画像と指定ページ番号との組とをＲＡＭ１３に一時記憶し、第１領域に表示されているページデータのページ番号（表示ページ番号）と一致する指定ページ番号と組になる手書き画像をＬＣＤ１９の第２表示領域に表示する。第１領域に表示されているページデータの表示ページ番号と一致する指定ページ番号と組になる手書き画像は、装置ＩＤが異なる複数がＲＡＭ１５に記憶される場合がある。第２領域表示制御部７３は、複数の手書き画像を、装置ＩＤごとに区別して表示する。例えば、装置ＩＤによって異なる色で手書き画像を表示する。これにより、発表者は、ＬＣＤ１９に複数の手書き画像が表示される場合であっても、複数の参加者によって描かれた手書き画像を区別することができる。
【００５１】
操作受付部５３は、さらに、第２領域表示制御部７３がＬＣＤ１９の第２表示領域に手書き画像を表示している段階で、ユーザが表示されている手書き画像を指示すると、第２表示領域中の位置をタッチパネルで検出し、検出された位置を示す位置情報を第２領域表示制御部７３に出力する。
【００５２】
第２領域表示制御部７３は、操作受付部５３から第２表示領域中の位置を示す位置情報が入力されると、合成指示を合成画像生成部６１に出力する。合成指示は、位置情報で特定される位置を描画部分が含む手書き画像を含む。具体的には、第２領域表示制御部７３は、複数の手書き画像のうちから、位置情報で特定される位置を描画部分に含む手書き画像を特定し、特定された手書き画像を含む合成指示を合成画像生成部６１に出力する。例えば、手書き画像を、背景部分を「０」とし、手書き部分を「１」とする複数の画素で構成されるとすれば、位置情報で特定される位置の画素の値が「１」の手書き画像を特定する。
【００５３】
合成画像生成部６１は、選択部５７から入力される表示ページのページデータの画像と、第２領域表示制御部７３から入力される合成指示に含まれる手書き画像とを合成することによって、合成画像を生成する。合成画像生成部６１は、生成した合成画像を合成画像送信部６３に出力する。合成画像送信部６３は、合成画像生成部６１から入力される合成画像を通信Ｉ／Ｆ２１を介して、参加者用装置１００Ａ，１００Ｂ，１００Ｃのすべてに送信するとともに、第１領域表示制御部７１に出力する。
【００５４】
第１領域表示制御部７１は、合成画像生成部６１から合成画像が入力されると、それまで表示されている画像に代えて、合成画像をＬＣＤ１９の第１表示領域に表示するとともに、外部表示制御部６５に出力する。
【００５５】
図４は、参加者用装置である表示装置が備えるＣＰＵが有する機能の一例を示す機能ブロック図である。ここでは、参加者用装置１００Ａ、１００Ｂ，１００Ｃそれぞれが有する機能は同じなので、参加者用装置１００Ａが有するＣＰＵ１１Ａについて説明する。図４に示す参加者用装置１００Ａが有するＣＰＵ１１Ａが有する機能は、ＣＰＵ１１ＡがＲＯＭ１３またはＥＥＰＲＯＭ１７に記憶された表示制御プログラムを実行することにより、ＣＰＵ１１に形成される。なお、図３に示した機能と類似する機能には同じ符号に添え字「Ａ」を付している。
【００５６】
図４を参照して、参加者用装置１００Ａが備えるＣＰＵ１１Ａは、発表用データを受信する発表用データ受信部８１と、表示ページ情報を受信する表示ページ情報受信部８３と、合成画像を受信する合成画像受信部８５と、表示制御部５１Ａと、操作を受け付ける操作受付部５３Ａと、手書き画像を検出する手書き画像検出部８７と、手書き画像を発表者用装置１００に送信する手書き画像送信部８９と、を含む。
【００５７】
表示制御部５１Ａは、第３領域表示制御部９１と第４領域表示制御部９３とを含む。第３領域表示制御部９１は、ＬＣＤ１９が有する第１表示領域に画像を表示し、第４領域表示制御部９３は、ＬＣＤ１９が有する第２表示領域に画像を表示する。
【００５８】
発表用データ受信部８１は、通信Ｉ／Ｆ２１が発表者用装置１００から発表用データを受信すると、受信された発表用データを受け付け、発表用データを第３領域表示制御部９１に出力する。表示ページ情報受信部８３は、通信Ｉ／Ｆ２１が発表者用装置１００から表示ページ情報を受信すると、受信された表示ページ情報を受け付け、表示ページ情報を第３領域表示制御部９１および手書き画像送信部８９に出力する。合成画像受信部８５は、通信Ｉ／Ｆ２１が発表者用装置１００から合成画像を受信すると、受信された合成画像を受け付け、合成画像を第３領域表示制御部９１に出力する。
【００５９】
第３領域表示制御部９１は、発表用データ受信部８１から入力される発表用データに含まれる複数ページのうちから、表示ページ情報受信部８３から入力される表示ページ情報に含まれる表示ページ番号の表示ページを選択し、選択された表示ページのページデータの画像をＬＣＤ１９の第１表示領域に表示する。さらに、第３領域表示制御部９１は、表示ページ情報受信部８３から新た表示ページ情報が入力されるごとに、新たな表示ページ情報に含まれる表示ページ番号の表示ページを選択し、選択された表示ページのページデータの画像をＬＣＤ１９の第１表示領域に表示する。
【００６０】
さらに、第３領域表示制御部９１は、合成画像受信部８５から合成画像が入力されると、合成画像をＬＣＤ１９の第１表示領域に表示する。このため、それまで第１表示領域に表示されている表示ページのページデータの画像に代えて、合成画像が表示される。
【００６１】
操作受付部５３Ａは、ユーザが操作部２３が備えるタッチパネルを指示すると、指示された位置を示す位置情報を手書き画像検出部８７に出力する。タッチパネルは、ＬＣＤ１９の表示面に重畳して配置されるため、位置情報は、表示面における位置を示し、ここでは座標値としている。
【００６２】
手書き画像検出部８７は、操作受付部５３Ａから入力される位置情報に基づいて、手書き画像を検出する。具体的には、位置情報がＬＣＤ１９の第２表示領域中にあれば、位置情報で示される位置の画素の画素値を「１」とし、他の画素の画素値を「０」とする手書き画像を生成する。操作受付部５３Ａから複数の位置情報が入力される場合は、複数の位置情報それぞれで示される位置の画素の画素値を「１」とする。手書き画像検出部８７は、検出された手書き画像を第４領域表示制御部９３に出力する。
【００６３】
第４領域表示制御部９３は、手書き画像検出部８７から手書き画像が入力されると、手書き画像をＬＣＤ１９の第２表示領域に表示する。このため、ユーザが、ＬＣＤ１９の第２領域を指またはタッチペンなどで文字または図形を描画すれば、指示された位置の画素が黒色に変化し、描画された文字または図形を含む手書き画像が表示される。また、第４領域表示制御部９３は、手書き画像を手書き画像送信部８９に出力する。
【００６４】
操作受付部５３Ａは、さらに、ユーザが操作部２３が有する複数のキーのうち手書き画像を送信する指示が予め割り当てられた送信キーを押下すると、送信操作を受け付ける。操作受付部５３Ａは、送信操作を受け付けると、送信指示を手書き画像送信部８９に出力する。
【００６５】
手書き画像送信部８９は、操作受付部５３Ａから送信指示が入力されると、表示ページ情報受信部８３から入力される表示ページ情報に含まれる表示ページ番号を指定ページ番号に設定する。そして、指定ページ番号と、第４領域表示制御部９３から入力される手書き画像との組を、通信Ｉ／Ｆ２１を介して、発表者用装置１００に送信する。これにより、発表者用装置１００において、参加者用装置１００Ａを操作する参加者が手書きすることにより得られる手書き画像が受信される。発表者用装置１００においては、手書き画像を送信してきた参加者用装置１００Ａの装置ＩＤから参加者用装置１００Ａを特定することにより、受信される手書き画像が、どの参加者により描かれたものであるかを識別することができ、さらに、手書き画像とともに受信される指定ページ番号によって、発表用データに含まれる複数ページのどのページに対応する手書き画像であるかを判別することができる。
【００６６】
図５は、発表用表示制御処理の流れの一例を示すフローチャートである。発表用表示制御処理は、設定キーが発表者用装置側に切り換えられた発表者用装置、ここでは、表示装置１００が備えるＣＰＵ１１が、ＲＯＭ１３またはＥＥＰＲＯＭ１７に記憶された表示制御プログラムを実行することにより、ＣＰＵ１１により実行される処理である。図５を参照して、ＣＰＵ１１は、発表用データの指定を受け付けたか否かを判断する（ステップＳ０１）。発表用データの指定を受け付けるまで待機状態となり（ステップＳ０１でＮＯ）、発表用データの指定を受け付けると（ステップＳ０１でＹＥＳ）、処理をステップＳ０２に進める。
【００６７】
ステップＳ０２においては、ユーザにより指定された発表用データを読み出す。例えば、ＥＥＰＲＯＭ１７またはＣＤ−ＲＯＭ２５Ａに記憶されている発表用データを読み出す。そして、読み出された発表用データを、参加者装置のすべて、ここでは参加者用装置１００Ａ，１００Ｂ，１００Ｂに送信する。
【００６８】
ステップＳ０４においては、表示ページの指定を受け付けたか否かを判断する。表示ページの指定を受け付けたならば処理をステップＳ０５に進めるが、そうでなければ処理をステップＳ０８に進める。ステップＳ０５においては、発表用データに含まれる複数ページのうち指定された表示ページのページデータをＬＣＤ１９の第１表示領域に表示する。そして、表示ページのページ番号を含む表示ページ情報を参加者装置のすべてに送信し（ステップＳ０６）、表示ページのページデータをプロジェクタ１１１に出力する（ステップＳ０７）。これにより、参加者装置１００Ａ，１００Ｂ，１００Ｃそれぞれにおいて表示ページのページデータの画像がＬＣＤ１９に表示されるとともに、プロジェクタ１１１によってホワイトボード１１３に投影される。
【００６９】
ステップＳ０８においては、参加者装置１００Ａ，１００Ｂ，１００Ｃのいずれかから手書き画像を受信したか否かを判断する。手書き画像を受信したならば処理をステップＳ０９に進めるが、そうでなければ処理をステップＳ１２に進める。ステップＳ０９においては、指定ページ番号を受信する。手書き画像とともに送信される指定ページ番号を受信する。そして、手書き画像を送信してきた参加者用装置に割り当てられた装置ＩＤを取得する。装置ＩＤは、ここではＩＰアドレスとしている。次のステップＳ１１においては、ステップＳ０８において受信された手書き画像と、ステップＳ０９において受信された指定ページ番号と、ステップＳ１０において取得された装置ＩＤとの組をＲＡＭ１５に記憶する。
【００７０】
ステップＳ１２においては、表示ページ番号と同じ指定ページ番号の手書き画像が存在するか否かを判断する。表示ページ番号と同じ指定ページ番号の手書き画像がＲＡＭ１３に記憶されていれば、その手書き画像を抽出し、処理をステップＳ１３に進めるが、そうでなければ処理をステップＳ１６に進める。ステップＳ１３においては、手書き画像が複数存在するか否かを判断する。手書き画像が複数抽出されたならば処理をステップＳ１４に進めるが、そうでなければステップＳ１４をスキップして処理をステップＳ１５に進める。ステップＳ１４においては、複数の手書き画像を合成する。複数の手書き画像ごとに、色を異ならせて合成する。手書き画像ごとに色が異なるようにしたので、合成された手書き画像を色で区別することができる。ステップＳ１５においては、合成された手書き画像または、抽出された手書き画像をＬＣＤ１９の第２表示領域に表示する。
【００７１】
ステップＳ１６においては、第２表示領域が指示されたか否かを判断する。タッチパネルが、ＬＣＤ１９の第２表示領域中の任意の位置をユーザが指またはタッチペンで指示する操作を検出したか否かにより判断する。第２表示領域中の任意の位置が指示されたならば処理をステップＳ１７に進めるが、そうでなければ処理をステップＳ２２に進める。ステップＳ１７においては、指示された位置の座標に基づいて、ステップＳ１２において抽出された手書き画像のうちから手書き画像を特定する。指示された位置を描画部分に含む手書き画像を特定する。ステップＳ１５において表示された手書き画像が、単一の手書き画像の場合は、指示された位置が手書き画像の描画部分に含まれるのであれば、ステップＳ１２において抽出された手書き画像を特定する。ステップＳ１５において表示された手書き画像が、複数の手書き画像を合成した画像である場合、複数の手書き画像のうち、指示された位置を描画部分に含む手書き画像を特定する。
【００７２】
ステップＳ１８においては、ステップＳ１７において特定された手書き画像を表示ページのページデータの画像と合成することにより、合成画像を生成する。そして、生成された合成画像を、ＬＣＤ１９の第１表示領域に表示し（ステップＳ１９）、合成画像をプロジェクタ１１１に出力し（ステップＳ２０）、さらに、合成画像を参加者装置１００Ａ，１００Ｂ，１００Ｃのすべてに送信し（ステップＳ２１）、処理をステップＳ２２に進める。
【００７３】
ステップＳ２２においては、終了指示を受け付けたか否かを判断する。ユーザが操作部２３が含む複数のキーのうち、終了を指示するための操作が予め割り当てられた終了キーを指示すると、操作部２３から終了指示を受け付ける。終了指示を受け付けたならば処理を終了するが、そうでなければ処理をステップＳ０４に戻す。
【００７４】
図６は、参加者用表示制御処理の流れの一例を示すフローチャートである。参加者用表示制御処理は、設定キーが参加者用装置側に切り換えられた参加者用装置１００Ａ，１００Ｂ，１００Ｃそれぞれが備えるＣＰＵ１１が、ＲＯＭ１３またはＥＥＰＲＯＭ１７に記憶された表示制御プログラムを実行することにより、ＣＰＵ１１により実行される処理である。ここでは、参加者用装置１００Ａが備えるＣＰＵ１１Ａが実行する処理を例に説明する。図６を参照して、ＣＰＵ１１Ａは、発表用データを受信したか否かを判断する（ステップＳ３１）。発表用データを受信するまで待機状態となり（ステップＳ３１でＮＯ）、発表用データを受信したならば（ステップＳ３１でＹＥＳ）、処理をステップＳ３２に進める。ステップＳ３２においては、受信された発表用データをＲＡＭ１３に記憶し、処理をステップＳ３３に進める。
【００７５】
ステップＳ３３においては、表示ページ情報を受信したか否かを判断する。発表者用装置１００から表示ページ情報を受信したならば処理をステップＳ３４に進めるが、そうでなければステップＳ３４をスキップして処理をステップＳ３５に進める。
【００７６】
ステップＳ３４においては、ＲＡＭ１１に記憶された発表用データに含まれる複数のページのうち、ステップＳ３３において受信された表示ページ情報に含まれるページ番号で特定される表示ページのページデータを、ＬＣＤ１９の第１表示領域に表示する。
【００７７】
ステップＳ３５においては、第２表示領域がユーザにより指示されたか否かを判断する。第２表示領域がユーザにより指示されたならば処理をステップＳ３６に進めるが、そうでなければ処理をステップＳ４０に進める。ステップＳ３６においては、手書き画像を検出する。第２表示領域の指示された位置の座標を描画部分とすることにより、手書き画像を検出する。そして、送信指示を受け付けたか否かを判断する（ステップＳ３７）。操作部２３が有する複数のキーのうち、送信操作が予め割り当てられた送信キーがユーザにより操作されると、送信指示を受け付ける。送信指示を受け付けたならば処理をステップＳ３８に進めるが、そうでなければ処理をステップＳ３６に戻し、手書き画像の検出を継続する。
【００７８】
ステップＳ３８においては、第１表示領域に表示されているページデータのページ番号を指定ページのページ番号に設定する。ここでは、指定ページのページ番号を指定ページ番号という。次のステップＳ３９においては、指定ページ番号とステップＳ３６において検出された手書き画像とを発表者用装置１００に送信し、処理をステップＳ４０に進める。
【００７９】
ステップＳ４０においては、発表者用装置１００から合成画像を受信したか否かを判断する。合成画像を受信したならば処理をステップＳ４１に進めるが、そうでなければステップＳ４１をスキップして処理をステップＳ４２に進める。ステップＳ４１においては、受信された合成画像をＬＣＤ１９の第１表示領域に表示し、処理をステップＳ４２に進める。ステップＳ４２においては、終了指示を受け付けたか否かを判断する。終了指示を受け付けたならば処理を終了するが、そうでなければ処理をステップＳ３３に戻す。
【００８０】
図７（Ａ）〜図７（Ｃ）は、第１の時点において表示装置に表示される表示画面の一例を示す図である。図７に示す表示画面は、表示装置１００，１００Ａ，１００Ｂそれぞれにおいて、手書き画像が発表者用装置１００に表示される前の第１の時点に表示される表示画面を示す。図７（Ａ）は、第１の時点において発表者用装置１００に表示される表示画面の一例を示す図である。図７（Ａ）を参照して、発表者用装置１００に表示される表示画面２００は、第１表示領域２０１と、第２表示領域２０３とを含む。ここでは、第１表示領域２０１に、発表用データの第１ページのページデータの画像が表示される例を示している。第１の時点においては、参加者用装置１００Ａ，１００Ｂ，１００Ｃから未だ手書き画像が受信されていないので、第２表示領域２０３には何も表示されない。
【００８１】
図７（Ｂ）は、第１の時点において参加者用装置１００Ａに表示される表示画面の一例を示す図である。図７（Ｂ）を参照して、参加者用装置１００Ａに表示される表示画面２１０は、第１表示領域２１１と、第２表示領域２１３とを含む。第１の時点において、第１表示領域２１１は、図７（Ａ）に示した表示画面２００に含まれる第１表示領域２０１に表示される画像と同じ第１ページのページデータの画像が表示される。また、第２表示領域２１３には、参加者用装置１００Ａを操作する参加者が手書き入力した円形の手書き画像２１５が表示される。
【００８２】
図７（Ｃ）は、第１の時点において参加者用装置１００Ｂに表示される表示画面の一例を示す図である。図７（Ｃ）を参照して、参加者用装置１００Ｂに表示される表示画面２２０は、第１表示領域２２１と、第２表示領域２２３とを含む。第１の時点において、第１表示領域２２１は、図７（Ａ）に示した表示画面２００に含まれる第１表示領域２０１に表示される画像と同じ第１ページのページデータの画像が表示される。また、第２表示領域２２３には、参加者用装置１００Ｂを操作する参加者が手書き入力した矩形の手書き画像２２５が表示される。
【００８３】
図８（Ａ）は、第２の時点における発表者用装置１００に表示される表示画面の一例を示す図である。第２の時点は、参加者用装置１００Ａ，１００Ｂそれぞれから手書き画像が入力された後の時点を示し、第３の時点は、発表者用装置１００を操作する発表者が手書き画像を指定した後の時点を示す。図８（Ａ）を参照して、第１表示領域２０１は、図７（Ａ）に示した表示画面２００の第１表示領域２０１に表示されている画像と同じ画像が表示される。第２表示領域２０３には、図７（Ｂ）に示した表示画面２１０の第２表示領域に表示された円形の手書き画像２１５と、図７（Ｃ）に示した表示画面２２０の第２表示領域２２３に表示された矩形の手書き画像２２５とを合成した画像が表示される。
【００８４】
図８（Ｂ）は、第３の時点における発表者用装置１００に表示される表示画面の一例を示す図である。第３の時点は、図８（Ａ）に示す表示画面２００Ａが表示されている段階で、第２表示領域２０３に表示された手書き画像２１５、２２５のいずれかを、発表者が指示した後の時点である。ここでは、手書き画像２２５が指示された場合を例に示している。図８（Ｂ）を参照して、第３の時点において、第１表示領域２０１は、第１ページのページデータの画像に、手書き画像２２５を合成した合成画像が表示される。
【００８５】
図９（Ａ）および図９（Ｂ）は、第３の時点における参加者用装置１００Ａ，１００Ｂに表示される表示画面の一例を示す図である。図９（Ａ）は、第３の時点における参加者用装置１００Ａに表示される表示画面２１０Ａを示し、図９（Ｂ）は、第３の時点における参加者用装置１００Ｂに表示される表示画面２２０Ａを示す。図９（Ａ）を参照して、参加者用装置１００Ａに表示される表示画面２１０Ａは、第１表示領域２１１に、図８（Ｂ）に示した第３の時点において発表者用装置１００に表示される表示画面２００Ｃの第１表示領域２０１に表示される合成画像と同じ合成画像が表示される。また、第２表示領域２１３に、図７（Ｂ）に示した第２の時点において参加者用装置１００Ａに表示される表示画面２１０の第２表示領域２１３に表示される手書き画像２１５と同じ手書き画像２１５が表示される。
【００８６】
図９（Ｂ）を参照して、参加者用装置１００Ｂに表示される表示画面２２０Ａは、第１表示領域２２１に、図８（Ｂ）に示した第３の時点において発表者用装置１００に表示される表示画面２００Ｃの第１表示領域２０１に表示される合成画像と同じ合成画像が表示される。また、第２表示領域２２３に、図７（Ｃ）に示した第２の時点において参加者用装置１００Ｂに表示される表示画面２２０の第２表示領域２２３に表示される手書き画像２２５と同じ手書き画像２２５が表示される。
【００８７】
以上説明したように、発表者用装置１００は、発表用データを参加者用装置１００Ａ，１００Ｂ，１００Ｃそれぞれに送信し、発表者により表示ページが選択されると、第１表示領域２０１に表示ページの画像を表示するとともに、表示ページのページ識別情報を参加者用装置に１００Ａ，１００Ｂ，１００Ｃそれぞれに送信する。
【００８８】
参加者用装置１００Ａ，１００Ｂ，１００Ｃそれぞれは、発表者用装置１００から表示ページのページ識別情報を受信することに応じて、表示ページのページデータの画像を第１表示領域２１１，２２１に表示し、参加者が入力する手書き画像を検出すると、発表ページのぺージ番号（指定ページ番号）と手書き画像とを発表者用装置１００に送信するとともに、手書き画像を第２表示領域２１３，２２３に表示する。
【００８９】
発表者用装置１００は、参加者用装置１００Ａ，１００Ｂ，１００Ｃのいずれかから指定ページのページ番号と手書き画像とを受信すると、複数の手書き画像のうちから１つを選択するユーザによる操作を受け付けることに応じて、選択された手書き画像を指定ページのページデータの画像と合成した合成画像を生成し、合成画像を表示ページのページデータの画像に代えて第１表示領域２０１に表示するとともに、合成画像を参加者用装置１００Ａ，１００Ｂ，１００Ｃそれぞれに送信する。このため、発表者が、参加者が入力した手書き画像のうちから共有するための手書き画像を選択することができる。
【００９０】
発表者用装置１００Ａ，１００Ｂ，１００Ｃそれぞれは、合成画像が受信されることに応じて、表示ページのページデータの画像に代えて合成画像を第１表示領域２１１，２２１に表示する。
【００９１】
このため、発表者用装置１００において、表示ページのページデータの画像が第１表示領域２０１に表示されるとともに、参加者により入力された手書き画像２１５，２２５が第２表示領域２０３に表示される。さらに、発表者が手書き画像２２５を選択する操作を入力すると、手書き画像２２５を指定ページのページデータの画像と合成した合成画像が、表示ページのページデータに代えて第１表示領域２０１に表示されるとともに、参加者用装置１００Ａ，１００Ｂ，１００Ｃそれぞれの第１表示領域に合成画像が表示される。このため、発表者用装置１００において、参加者により入力された手書き画像を発表者が確認することができ、発表者により選択された手書き画像を、発表者および参加者で確認することができる。
【００９２】
また、参加者用装置１００Ａ，１００Ｂ，１００Ｃにおいては、表示ページのページデータが第１表示領域に表示され、手書き画像が第２表示領域に表示され、発表者用装置から合成画像が受信されることに応じて、合成画像が第１表示領域に表示される。このため、参加者が、発表ページの画像と、合成画像とを閲覧することができる。
【００９３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９４】
【図１】本発明の実施の形態の１つにおける会議システムの全体概要を示す図である。
【図２】表示装置のハードウエア構成の一例を示すブロック図である。
【図３】発表者用装置である表示装置が備えるＣＰＵが有する機能の一例を示す機能ブロック図である。
【図４】参加者用装置である表示装置が備えるＣＰＵが有する機能の一例を示す機能ブロック図である。
【図５】発表用表示制御処理の流れの一例を示すフローチャートである。
【図６】参加者用表示制御処理の流れの一例を示すフローチャートである。
【図７】第１の時点において表示装置に表示される表示画面の一例を示す図である。
【図８】第２および第３の時点における発表者用装置に表示される表示画面の一例を示す図である。
【図９】第３の時点における参加者用装置に表示される表示画面の一例を示す図である。
【符号の説明】
【００９５】
１  第、１  会議システム、１１  ＣＰＵ、１３  ＲＯＭ、１５  ＲＡＭ、１７  ＥＥＰＲＯＭ、１９  ＬＣＤ、２１  通信Ｉ／Ｆ、２３  操作部、２５  外部Ｉ／Ｆ、２５Ａ  ＣＤ−ＲＯＭ、５１，５１Ａ  表示制御部、５３，５３Ａ  操作受付部、５５  発表用データ送信部、５７  選択部、５９  表示ページ情報送信部、６１  合成画像生成部、６３  合成画像送信部、６５  外部表示制御部、６７  手書き画像受信部、７１  第１領域表示制御部、７３  第２領域表示制御部、８１  発表用データ受信部、８３  表示ページ情報受信部、８５  合成画像受信部、８７  手書き画像検出部、８９  手書き画像送信部、９１  第３領域表示制御部、９３  第４領域表示制御部、１００  発表者用装置（表示装置）、１００Ａ，１００Ｂ  参加者用装置（表示装置）、１０１，１０１Ａ，１０１Ｂ，１０１Ｃ  ペン、１０３  ネットワーク、１１１  プロジェクタ、１１３  ホワイトボード。
【図１】
2011065348.tif 000003
【図２】
2011065348.tif 000004
【図３】
2011065348.tif 000005
【図４】
2011065348.tif 000006
【図５】
2011065348.tif 000007
【図６】
2011065348.tif 000008
【図７】
2011065348.tif 000009
【図８】
2011065348.tif 000010
【図９】
2011065348.tif 000011